(57)【特許請求の範囲】
【請求項１】
パチンコ機を設置すると共にそのパチンコ機設置位置の下部にはパチンコ機から排出されたパチンコ玉を貯留する玉箱を載置する玉箱載置台が突設されるパチンコ島台において、
前記玉箱載置台上の玉箱載置位置には、前記玉箱を電気的駆動源により固定する玉箱固定装置と、パチンコ玉を前記パチンコ島台内に返却する玉返却装置の流入口と、を設け、
前記玉箱載置位置に前記玉箱を載置したときに、前記玉箱固定装置によって前記玉箱を固定したり開放したりし得ると共に、該玉箱に設けられた流出口からその貯留玉を前記流入口へ返却し得るようにし、
前記玉箱載置位置に前記玉箱を載置した状態で、遊技場内の前記パチンコ機を複数又は個別に指定して、その指定したパチンコ機に対応する前記玉箱の玉箱固定装置における前記電気的駆動源を駆動制御することを特徴とするパチンコ島台。
【請求項２】
前記玉箱載置位置は、前記玉箱の下部を収容載置するように前記玉箱載置台に玉箱載置用の凹部を形成し、前記玉箱固定装置は、前記玉箱載置凹部の外側の前記玉箱載置台の内部に埋設され且つ前記玉箱載置凹部に収容載置された前記玉箱の下部側面に開設された挿通穴に前記電気的駆動源により駆動される挿通片を挿通させることにより前記玉箱を固定するものであることを特徴とする請求項１記載のパチンコ島台。
【請求項３】
前記玉箱載置位置は、平板状の前記玉箱載置台の上面であり、前記玉箱固定装置は、前記玉箱載置台の上面に所定間隔離して固定され且つ載置された前記玉箱の側面を前記電気的駆動源により駆動される挟持片で挟持することにより前記玉箱を固定するものであることを特徴とする請求項１又は請求項２に記載のパチンコ島台。
【請求項４】
前記玉箱載置位置には、前記玉箱が適正な位置に載置されているか否かを検出する玉箱位置検出センサと、該玉箱位置検出センサにより前記玉箱が適正な位置に載置されていないことが検出されたときに適正な位置に載置されていないことを報知する報知装置を設けたことを特徴とする請求項１乃至請求項３のいずれかに記載のパチンコ島台。
【請求項５】
前記玉箱載置位置には、前記玉箱が適正な位置に載置されているか否かを検出する玉箱位置検出センサと、該玉箱位置検出センサにより前記玉箱が適正な位置に載置されていないことが検出されたときに前記玉箱の位置を移動補正する玉箱位置補正装置と、を設けたことを特徴とする請求項１乃至請求項４のいずれかに記載のパチンコ島台。
【発明の詳細な説明】
【０００１】
【発明の属する技術分野】
本発明は、パチンコ機を設置すると共にそのパチンコ機設置位置の下部にはパチンコ機から排出されたパチンコ玉を貯留する玉箱を載置する玉箱載置台が突設されるパチンコ島台に関するものである。
【０００２】
【従来の技術】
従来、パチンコ機で遊技中に得られたパチンコ玉を貯留する玉箱は、パチンコ島台に突設されるカウンターの上に単に載置されるものであった。そして、パチンコ遊技場においては、営業方針としてパチンコ機の機種によりあるパチンコ機で得られたパチンコ玉を他のパチンコ機で使用することを禁止する場合があった。その場合、遊技場の従業員がいわゆるスタート札や貼り紙等を逐一パチンコ機に貼付して、その旨を遊技者に報知し、従業員も確認できるようにしていた。
【０００３】
【発明が解決しようとする課題】
しかして、上記したように、玉箱がカウンター上に単に載置される形式のパチンコ島台では、実際には容易に玉箱を移動させることができるので、各パチンコ機にスタート札等を貼付しても、遊技客が故意にスタート札を剥して玉箱を持って他のパチンコ機に移動することがあり、こうした場合には従業員は遊技客の移動を確認することが難しくなるため、遊技場内の店員を増員したり監視カメラを増強したりする必要があった。本発明は上記した事情に鑑みなされたものであり、その目的とするところは、あるパチンコ機で得られたパチンコ玉を他のパチンコ機で使用することを禁止したり解除したりすることができるパチンコ島台を提供することにある。
【０００４】
【課題を解決するための手段】
上記した目的を達成するために、本発明が採用した具体的な解決手段を図面を参照して説明する。図１、図２、図７乃至図１２に示すように、パチンコ機３を設置すると共にそのパチンコ機設置位置の下部にはパチンコ機３から排出されたパチンコ玉を貯留する玉箱３０を載置する玉箱載置台としてのカウンター２が突設されるパチンコ島台１において、前記カウンター２上の玉箱載置位置１０には、前記玉箱３０を電気的駆動源としてのソレノイド４０ａにより固定する玉箱固定装置４０，５０，６０と、パチンコ玉を前記パチンコ島台１内に返却する玉返却装置１９の流入口２０と、を設け、前記玉箱載置位置１０に前記玉箱３０を載置したときに、前記玉箱固定装置４０，５０，６０によって前記玉箱３０を固定したり開放したりし得ると共に、該玉箱３０に設けられた流出口３２からその貯留玉を前記流入口２０へ返却し得るようにし、前記玉箱載置位置１０に前記玉箱３０を載置した状態で、遊技場内の前記パチンコ機３を複数又は個別に指定して、その指定したパチンコ機３に対応する前記玉箱３０の玉箱固定装置４０，５０，６０における前記ソレノイド４０ａを駆動制御することを特徴とするものである。
【０００５】
このように構成することにより、あるパチンコ機３で得られたパチンコ玉を他のパチンコ機３で使用することを禁止しようとする場合には、玉箱載置位置１０に玉箱３０が載置された状態で、玉箱固定装置４０，５０，６０の電気的駆動源としてのソレノイド４０ａを駆動制御して玉箱３０を玉箱載置位置１０に固定することができると共に、遊技終了後にはそのままの状態で玉箱３０の貯留玉をパチンコ島台１内に返却することができる。また、上記した固定状態を解除しようとする場合には、玉箱固定装置４０，５０，６０を開放制御して玉箱載置位置１０に固定された玉箱３０を移動可能にすることができる。また、遊技場内の指定したパチンコ機３に対応する前記玉箱３０の玉箱固定装置４０，５０，６０における電気的駆動源としてのソレノイド４０ａを駆動制御することで、効率よく玉箱３０を固定したり開放したりすることができる。
【０００６】
【０００７】
また、図２及び図３に示すように、前記玉箱載置位置１０は、前記玉箱３０の下部を収容載置するように前記カウンター２に玉箱載置用の凹部１０Ａを形成し、前記玉箱固定装置４０は、前記玉箱載置凹部１０Ａの外側のカウンター２の内部に埋設され且つ前記玉箱載置凹部１０Ａに収容載置された前記玉箱３０の下部側面に開設された挿通穴３４に前記電気的駆動源により駆動される挿通片４０ｂを挿通させることにより前記玉箱３０を固定するものであることにより、玉箱３０を玉箱載置凹部１０Ａへ円滑且つ確実に収容載置することができるとともに、収容載置された玉箱３０の挿通穴３４に挿通片４０ｂをかんぬき状に挿通して玉箱３０を玉箱載置凹部１０Ａに確実に固定することができる。
【０００８】
また、図９及び図１０に示すように、前記玉箱載置位置１０は、平板状の前記カウンター２の上面であり、前記玉箱固定装置５０は、前記カウンター２の上面に所定間隔離して固定され且つ載置された前記玉箱３０の側面を前記電気的駆動源により駆動される挟持片５０ａで挟持することにより前記玉箱３０を固定するものであることにより、玉箱載置位置１０に載置された玉箱３０の側面を玉箱固定装置５０により両側から挟持するだけで、より簡単に玉箱３０を玉箱載置位置１０に固定することができる。
【０００９】
また、前記玉箱載置位置１０には、前記玉箱３０が適正な位置に載置されているか否かを検出する玉箱位置検出センサ６２と、該玉箱位置検出センサ６２により前記玉箱３０が適正な位置に載置されていないことが検出されたときに適正な位置に載置されていないことを報知する報知装置を設けたことにより、玉箱３０が玉箱載置位置１０に適正に載置されていない場合には、呼出ランプ等の報知装置によりその旨を外部に報知することができる。
【００１０】
また、図１１に示すように、前記玉箱載置位置１０には、前記玉箱３０が適正な位置に載置されているか否かを検出する玉箱位置検出センサ６２と、該玉箱位置検出センサ６２により前記玉箱３０が適正な位置に載置されていないことが検出されたときに前記玉箱３０の位置を移動補正する玉箱位置補正装置６１と、を設けたことにより、玉箱３０が玉箱載置位置１０に適正に載置されていない場合には、玉箱位置補正装置６１により自動的に適正な位置に補正された後、玉箱固定装置６０を駆動制御して玉箱３０を玉箱載置位置１０に固定することができる。
【００１１】
【００１２】
【発明の実施の形態】
以下、図面を参照して、本発明の実施形態について説明する。まず、図１を参照して、実施形態に係るパチンコ島台１の概略構成について説明する。図１は、パチンコ島台１を示す斜視図である。
【００１３】
図において、パチンコ島台１は、周知のように、多数のパチンコ機３を背向列設するもので、各パチンコ機３の間には、パチンコ機３と１対１で対応するように台間玉貸機８が挟持されている。また、パチンコ島台１のパチンコ機３の設置位置の下部には、各パチンコ機３から排出されたパチンコ玉を貯留する玉箱３０を載置するためのカウンター２がパチンコ機３に対して直角状に突設されている。さらに、パチンコ島台１のパチンコ機３の設置位置の上部には、各パチンコ機３等で発生した異常を報知するための呼出ランプ（図示しない）が設けられ、その上部には、後述する補給樋での玉詰まり等を点検するために欄間４が開閉自在に設けられており、パチンコ島台１の天井面には、凸板状に形成されたドーム板９がパチンコ島台１の横桟に対して着脱自在に装着されている。また、パチンコ島台１の両側面は、パチンコ島台１の断面に合せた形状のつま板６から構成され、つま板６の上端部両側には玉量表示ランプ７が取り付けられている。この玉量表示ランプ７は、後述する玉揚送装置の下部両側に設置される玉貯留タンク（図示しない）の貯留量を表示するためのものであり、玉貯留タンクに取り付けられた数個の玉量センサによりタンク内の貯留量を検出し、その貯留量レベルを段階的に表示するようになっている。
【００１４】
また、パチンコ島台１の中央には、玉揚送装置収納ボックス５が設けられ、その内部に玉揚送装置（図示しない）が立設されている。この玉揚送装置は、モータを内蔵した下部駆動プーリにより無端状の搬送ベルトを回転駆動するものであり、搬送ベルトの摩擦力により導入樋から導入された玉を研磨布装着扉に接触させながら上昇せしめ、最終的に上端の排出口から上部タンク１１内に排出するようになっている。
【００１５】
さらに、玉揚送装置（図示しない）によって揚送されて上部タンク１１に貯留されたパチンコ玉は、上部タンク１１の底面両端部からパチンコ島台１の両端部に向かって下方傾斜した左右の各補給樋（図示しない）に流出する。この補給樋の途中部位には、各パチンコ機３及び台間玉貸機８に対応した分離器（図示しない）が設けられており、これにより、各パチンコ機３及び台間玉貸機８にパチンコ玉が供給されるようになっている。なお、分離器には、周知のように、補給された玉数を計数するための計数装置（図示しない）が付設されており、この計数装置から遊技場に設けられる管理コンピュータ（図示しない）に補給玉数信号が送られるようになっている。
【００１６】
また、玉揚送装置収納ボックス５の一側面には、その上部が上部タンク１１の側部底面に連通され且つ補給樋上に玉が満杯となったときに玉が流出する還流通路体（図示しない）が形成されている。この還流通路体は、パチンコ機３における賞品玉の使用が少なく補給樋への玉の補給が必要なくなったとき、余剰の玉を玉揚送装置の下部両側に設置される左右の各玉貯留タンク（図示しない）に還流するものである。この玉貯留タンクの底面は、玉揚送装置に向かって下り傾斜する回収樋を構成している。このため、パチンコ機３で使用されて排出された使用済玉、玉返却装置１９（図５参照）から返却された返却玉、及び上部タンク１１から還流された還流玉は、一旦玉貯留タンクに貯留された後、回収樋によって玉揚送装置に導かれ、以後、上述したように、玉揚送装置により揚送研磨された研磨済の玉が上部タンク１１の底面両端部から各補給樋に流出され、その後、分離器によって各パチンコ機３及び台間玉貸機８に供給されてパチンコ島台１の内部を循環するようになっている。
【００１７】
次に、図２、図３及び図４を参照して、パチンコ島台１のカウンター２付近の構成及び作用について説明する。図２は、カウンター２から玉箱３０を外した状態の斜視図であり、図３は、カウンター２に玉箱３０を装着した状態の斜視図であり、図４は、玉箱固定装置４０の作用を示す拡大斜視図である。
【００１８】
図２において、パチンコ島台に設置されるパチンコ機３の下部には、賞球として排出されたパチンコ玉を貯留すると共に再び遊技球として使用するために発射位置に供給する上皿１２が設けられている。発射位置に供給された遊技球は、操作ハンドル１４の操作によって遊技盤の遊技領域に向かって発射される。上皿１２の下方には、上皿１２が賞球で満杯となったときにそれ以上排出される余剰の賞球を貯留する下皿１３が設けられている。なお、上皿１２及び下皿１３には、周知のようにそれぞれ貯留されたパチンコ玉を玉抜きする玉抜きボタン（図示しない）が設けられている。このため、上皿１２の玉抜きボタンを操作することにより上皿１２に貯留されていたパチンコ玉が下皿１３に移動し、下皿１３の玉抜きボタンを操作することにより下皿１３に貯留されていたパチンコ玉が玉箱３０に移動する。また、上記したように、各パチンコ機３の間には台間玉貸機８が挟持されており、各玉貸機８の硬貨投入口（図示しない）に硬貨を投入したとき又はカード投入口８ｃにカードを挿入して貸玉スイッチ（図示しない）を押圧することにより、パチンコ玉が玉排出口８ａに取り付けられる玉誘導部材８ｄによってパチンコ機３の上皿１２に自動的に払い出されるようになっている。なお、図中、返却口８ｂは、硬貨投入口に投入された硬貨が真正のものでないとき、あるいは真正であるか否かが正確に検出できないときに返却するためのものである。
【００１９】
上記したように、下皿１３に貯留されたパチンコ玉を玉箱３０に移動させるには、前記カウンター２上の玉箱載置位置１０に玉箱３０が載置されていなければならないが、本実施形態においては、玉箱載置位置１０は玉箱３０を収容載置する玉箱載置凹部１０Ａとして形成されている。この玉箱載置凹部１０Ａは、カウンター２上に形成された長方形状の凹部であり、玉箱３０を円滑且つ確実に収容載置することができるようになっている。また、玉箱載置凹部１０Ａの奥側の隅角部には、正方形状の係合片４１が突設形成されている。この係合片４１は、玉箱３０を玉箱載置凹部１０Ａに収容載置する際に、玉箱３０の下部両側の隅角部に形成された係合溝３５と係合し、係合片４１上に形成された突起４１ａが係合溝３５の内部に形成された受け部（図示しない）と嵌合することにより、玉箱３０の収容載置を確実に行うためのものである。また、玉箱載置凹部１０Ａの奥側中央部には、玉箱３０に貯留されたパチンコ玉をパチンコ島台１内に返却する玉返却装置１９の流入口２０が設けられている。なお、カウンター２上には、玉返却装置１９に関連して、後述する玉検知センサ２６によって計数されたパチンコ玉数を表示する玉数表示装置２１と、該玉数表示装置２１に貯留玉として表示されているパチンコ玉を再度パチンコ機３で使用するための返却ボタン２２と、遊技終了時に貯留玉を精算するための精算ボタン２３と、精算結果を印字してレシートを発行するためのプリンタ２４と、が設けられているので、遊技者が獲得したパチンコ玉を景品と交換する際にはレシートのみを携行すればよく、玉箱３０を持ち運ぶ必要がない。なお、このような構成としては、精算結果を印字したレシートを発行するものに限られず、遊技客の個人データや暗証番号を記録したＩＤカードを用いて管理コンピュータに精算結果を記憶させるようにしてもよい。この場合、精算結果をＩＤカードに記録するとＩＤカードの変造等による不正が行われることがあるので、ＩＤカードには個人データや暗証番号のみを記録し、精算結果を含む遊技客の貯玉数については管理コンピュータ等により別途管理することが望ましい。
【００２０】
上記した玉箱載置凹部１０Ａには、載置された玉箱３０を固定したり開放したりするための玉箱固定装置４０が設けられるが、その玉箱固定装置４０の構成について、以下、説明する。図２に示すように、玉箱載置凹部１０Ａの両外側のカウンター２の内部中央には、載置される玉箱３０の横幅よりも僅かに広い間隔をおいて玉箱固定装置４０が埋設されている。この玉箱固定装置４０は、電気的駆動源としてのソレノイド４０ａと、該ソレノイド４０ａにより駆動される挿通片４０ｂと、から構成されるものであり、図３及び図４に示すように、玉箱載置凹部１０Ａに玉箱３０を挿入載置したときに、玉箱３０の下部側面中央部に開設された楕円状の挿通穴３４に両側から挿通片４０ｂをかんぬき状に挿通することにより、玉箱３０を玉箱載置凹部１０Ａに確実に固定することができる。
【００２１】
ここで、玉箱固定装置４０を構成するソレノイド４０ａについて説明すると、このソレノイド４０ａはキープソレノイド４０ａといわれるもので、コイルが巻かれた電磁石の一側に永久磁石が一体的に設けられるものであり、挿通片４０ｂには、挿通片４０ｂを玉箱載置凹部１０Ａの内側に付勢する補助バネ（図示しない）が周設されている。図４に示すように、挿通片４０ｂが玉箱載置凹部１０Ａの外側に吸引され且つ電流が導通されなくなった状態で、挿通片４０ｂを補助バネの付勢力に抗して外側位置を保持するように永久磁石で吸着する作用を有し、また、電磁石に逆方向の電流を流して挿通片４０ｂを反発させて玉箱載置凹部１０Ａの内側へ移動させ且つ電流が導通されなくなった状態で、永久磁石の挿通片４０ｂに対する影響をなくして挿通片４０ｂを内側位置で保持し、補助バネでその位置保持を補助させるようになっている。つまり、キープソレノイド４０ａは、電磁石を構成するコイルに挿通片４０ｂを吸引する方向の電流と反発する方向の電流を流すことにより、挿通片４０ｂを突出退避し得るように構成されている。従って、通常のソレノイドを用いた場合と比較して、補助バネのバネ係数や長さ等に厳密な精度が必要とされないため、安価で且つ長期に渡り動作精度を確保することができるという利点がある。
【００２２】
しかして、玉箱載置凹部１０Ａに玉箱３０が収容載置された状態で、玉箱固定装置４０のキープソレノイド４０ａに挿通片４０ｂと反発する方向の電流を流すことにより、挿通片４０ｂは玉箱載置凹部１０Ａの内側位置に突出し、載置された玉箱３０の挿通穴３４に挿通され、玉箱３０は玉箱載置凹部１０Ａに固定される。また、この固定状態を解除する場合には、キープソレノイド４０ａに挿通片４０ｂを吸引する方向の電流を流すことにより、挿通片４０ｂは玉箱載置凹部１０Ａの外側位置に退避し、玉箱３０は玉箱載置凹部１０Ａから開放される。従って、本実施形態に係るパチンコ島台１においては、あるパチンコ機３で得られたパチンコ玉を他のパチンコ機３で使用することを禁止しようとする場合には、玉箱載置凹部１０Ａに玉箱３０が載置された状態で、キープソレノイド４０ａにより駆動される玉箱固定装置４０を閉塞制御して玉箱３０を玉箱載置凹部１０Ａに固定することができるとともに、固定状態を解除しようとする場合には、玉箱固定装置４０を開放制御して玉箱載置凹部１０Ａに固定された玉箱３０を移動可能にすることができる。
【００２３】
また、通常、玉箱３０に貯留されたパチンコ玉を返却する際には、パチンコ機３とは離れた場所に設置された玉返却装置１９まで玉箱３０を持って移動しなくてはならないが、本実施形態におけるように玉箱３０が固定された状態では貯留玉を玉返却装置１９に返却することができない。このような不都合を解消するための構成について、図２、図５及び図６を参照して、以下、説明する。図５及び図６は、玉箱３０の貯留玉を玉返却装置１９に返却するための構成及び作用を示す断面図である。
【００２４】
図２において、上記したように、玉箱載置凹部１０Ａの奥側中央部には、玉箱３０の貯留玉をパチンコ島台１内に返却する玉返却装置１９の流入口２０が設けられている。また、玉箱３０の底面の奥側中央部には、玉箱載置凹部１０Ａに玉箱３０を載置したときに前記流入口２０と対応するように、貯留玉の流出口３２が開設されている。この流出口３２は前後方向にスライド可能なスライド板３３によって閉塞されており、手前側に突設形成された取手３３ａを操作して流出口３２を開成したり閉成したりすることができるようになっている。もちろん、玉箱３０のスライド板３３は、左右方向にスライド可能に取り付けられるものであってもよい。しかして、玉箱３０を玉箱載置凹部１０Ａに載置し、取手３３ａを手前側へ引いて玉箱３０の流出口３２を開成すると、流出口３２と玉返却装置１９の流入口２０は連通した状態となる。なお、玉箱３０の底面は、流出口３２に向かって下方傾斜して形成されており、玉箱３０の貯留玉は流出口３２付近に導かれるようになっている。
【００２５】
次に、玉返却装置１９の構成について説明すると、図５に示すように、玉返却装置１９は、前記流入口２０と、該流入口２０の内部に垂直状に立設され且つ流入するパチンコ玉を整列させて誘導するための複数の整流片２５と、流入口２０内の整流片２５によって区画された通路ごとに設けられ且つ通路上を通過するパチンコ玉を検知する玉検知センサ２６と、流入口２０を通過したパチンコ玉をパチンコ島台１内に誘導する誘導路２７と、から構成されている。
【００２６】
かかる構成を有する玉返却装置１９の作用について説明すると、図５に示すように、遊技客は、通常、カウンター２上の玉箱載置凹部１０Ａ（図２参照）に玉箱３０が固定された状態で遊技を行う。そして、遊技を終了する場合や玉箱３０が満杯となった場合等、遊技客が玉箱３０に貯留されたパチンコ玉を返却しようとするときには、図６に示すように、玉箱載置凹部１０Ａに玉箱３０が固定された状態のままで、前記スライド板３３の取手３３ａを手前側へ引くことにより、玉箱３０の流出口３２は開成され、パチンコ玉は流出口３２から玉返却装置１９の流入口２０へ直接返却されることとなる。そして、流入口２０へ流入されたパチンコ玉は、整流片２５によって整列誘導され、玉検知センサ２６によって計数された後、誘導路２７を経由して回収樋（図示しない）に誘導され、パチンコ島台１内の玉循環経路に復帰する。従って、玉箱載置凹部１０Ａに玉箱３０を固定したままの状態でその貯留玉をパチンコ島台１内に返却することができる。
【００２７】
次に、本実施形態に係るパチンコ島台１における玉箱固定装置４０の駆動制御は、パチンコ機３の管理コンピュータによって集中的に行われるようになっているが、かかる制御の一例について、図７を参照して、以下、説明する。図７は、玉箱固定装置４０の駆動制御を示すフロー図である。
【００２８】
図において、ステップ１０で、電源の投入に伴い、玉箱固定装置４０その他の各種装置の状態信号（「ステータス入力」と表示）が入力される。次に、ステップ１１で、玉箱固定装置４０等の状態信号の異常の有無が判別される。ステップ１１で、異常ありと判別された場合には、ステップ１２で、各パチンコ機３ごとに設けられた呼出ランプ（図示しない）を点灯させることにより異常を報知する。呼出ランプにより異常を発見した遊技場の店員は、ステップ１３で、その異常を解消するための処置を行う。その後、ステップ１４で、異常が解消したか否かが判別された後、解消したと判別された場合には、ステップ１１に戻る。ステップ１１で、異常なしと判別された場合には、ステップ１５で、前記ステップ１０で入力された玉箱固定装置４０（「ロック装置」と表示）の状態信号に対応した信号を出力する。そして、ステップ１５で出力された信号に基づいて、ステップ１６で、玉箱固定装置４０を固定駆動又は開放駆動する。そして、上記したステップ１０〜１６の処理をすべてのパチンコ機３に対応する玉箱固定装置４０に対して行うことにより、玉箱固定装置４０の駆動制御を管理コンピュータによって集中的に行うことができる。
【００２９】
また、玉箱載置凹部１０Ａに玉箱３０を収容載置した状態で、遊技場内のパチンコ機３を複数又は個別に指定して、各パチンコ機３に対応する玉箱３０を固定したり開放したりする制御を行うことにより、遊技場内のパチンコ機３を機種により指定して各パチンコ機３に対応する玉箱固定装置４０の固定状態を選択するようにすることもできる。かかる制御について、図８を参照して、以下、説明する。図８は、各パチンコ機３に対応する玉箱固定装置４０を複数又は個別に指定するための制御を示すフロー図である。
【００３０】
図において、ステップ２０で、遊技場内のパチンコ機３に対応する玉箱固定装置４０の固定状態の選択につき、複数のパチンコ機３からなるグループごとの設定が選択されているか否かが判別される。このパチンコ機３のグループは、通常、１つのパチンコ島台に設置されるすべてのパチンコ機３を１つのグループとして構成されるが、これに限られず、遊技場内の同一機種のパチンコ機３を１つのグループとして構成されるものであってもよい。このようにして構成されるパチンコ機３のグループについては、グループ内の玉箱固定装置４０の固定状態の選択を容易にするために、グループごとに管理番号が設定される。しかして、ステップ２０で、グループごとの設定が選択されていると判別された場合には、ステップ２１で、玉箱固定装置４０の固定状態を選択すべきグループの番号を管理コンピュータに入力する。そして、ステップ２１で抽出されたグループに対し、ステップ２２で、そのグループ内の玉箱固定装置４０の状態について、固定又は開放いずれかの状態を選択して入力する。この状態入力信号に基づいて、図７に示すフロー図に従って抽出されたグループ内の玉箱固定装置４０は固定駆動又は開放駆動される。このように制御することにより、遊技場内のパチンコ機３を個別に指定する場合と比較して、効率よく玉箱３０を固定したり開放したりすることができる。また、ステップ２０で、グループごとの設定が選択されていると判別されなかった場合には、遊技場内のパチンコ機３に対応する玉箱固定装置４０のそれぞれについて個別に固定又は開放いずれかの状態を入力し、この状態入力信号に基づいて、図７に示すフロー図に従って抽出されたパチンコ機３の玉箱固定装置４０は固定駆動又は開放駆動される。
【００３１】
以上、パチンコ島台１の構成及び作用について説明してきたが、上記実施形態（以下、第１実施形態という。）においては、玉箱載置位置１０を玉箱載置凹部１０Ａとして形成し、玉箱載置凹部１０Ａに収容載置された玉箱３０の挿通穴３４に玉箱固定装置４０の挿通片４０ｂを挿通させることにより玉箱３０を固定するものを示したが、図９及び図１０に示すように、玉箱載置位置１０に載置された玉箱３０の側面を玉箱固定装置５０の挟持片５０ａで挟持することにより玉箱３０を固定する実施形態（以下、第２実施形態という。）であってもよい。この第２実施形態の構成について、以下、説明する。図９は、第２実施形態に係るパチンコ島台１Ａのカウンター２から玉箱３０を外した状態の斜視図であり、図１０は、第２実施形態に係るパチンコ島台１Ａのカウンター２に玉箱３０を装着した状態の斜視図である。なお、第２実施形態において、上記第１実施形態と共通する構造、機能を有する構造物には、第１実施形態におけると同一の符号を付し、詳細な説明を省略する。
【００３２】
図９に示すように、第２実施形態においては、玉箱載置位置１０は、下皿１３の下方に位置するカウンター２上の一部分である。この玉箱載置位置１０の奥側中央部には、前記玉返却装置１９の流入口２０が設けられており、玉箱載置位置１０上に玉箱３０を固定したままの状態でその貯留玉をパチンコ島台１Ａ内に返却することができる。また、玉箱載置位置１０の両側には、載置される玉箱３０の横幅よりも僅かに広い間隔をおいて玉箱固定装置５０が設けられている。この玉箱固定装置５０は、電気的駆動源としてのモータ（図示しない）の駆動力により挟持片５０ａを玉箱載置位置１０に突出退避させることができるものであり、図１０に示すように、玉箱載置位置１０に玉箱３０を載置したときに、玉箱３０の下部側面を両側から挟持片５０ａで挟持することにより、玉箱３０を玉箱載置位置１０に固定することができる。なお、玉箱固定装置５０の挟持片５０ａの先端部には、ゴム片５０ｂが貼付されており、玉箱３０を挟持する際にその下部側面を傷めないようになっている。このように、第２実施形態に係るパチンコ島台１Ａにおいては、玉箱載置位置１０に載置された玉箱３０の側面を玉箱固定装置５０により両側から挟持するだけで、より簡単に玉箱３０を固定することができる。
【００３３】
前記第１実施形態に係るパチンコ島台１及び第２実施形態に係るパチンコ島台１Ａにおいては、玉箱載置位置１０の適正な位置に玉箱３０が載置されているという前提のもとで説明したが、玉箱３０が玉箱載置位置１０に正確に載置された状態でないときは、玉箱固定装置４０，５０により玉箱３０を玉箱載置位置１０に固定できず、玉箱３０の貯留玉を返却することもできないという不都合を生ずる。かかる不都合を解消するための実施形態（以下、第３実施形態という。）の構成及び作用について、図１１及び図１２を参照して、以下、説明する。図１１は、第３実施形態に係るパチンコ島台１Ｂのカウンター２から玉箱３０を外した状態の斜視図であり、図１２は、第３実施形態に係るパチンコ島台１Ｂのカウンター２に玉箱３０を装着した状態の斜視図である。なお、第３実施形態において、上記第１実施形態と共通する構造、機能を有する構造物には、第１実施形態におけると同一の符号を付し、詳細な説明を省略する。
【００３４】
図１１に示すように、第３実施形態においては、玉箱載置位置１０は玉箱３０を収容載置する玉箱載置凹部１０Ａとして形成されている。この玉箱載置凹部１０Ａは、カウンター２上に形成された長方形状の凹部であり、その奥側中央部には、玉箱３０に貯留されたパチンコ玉をパチンコ島台１Ｂ内に返却する玉返却装置１９（図示しない）の流入口２０が設けられている。また、玉箱載置凹部１０Ａの最奥部には、玉箱３０が適正な位置に載置されているか否かを検出する玉箱位置検出センサ６２が立設されている。この玉箱位置検出センサ６２は、常には、玉箱載置凹部１０Ａの底面から壁面にかけて扇型状に突出されているが、玉箱３０が玉箱載置凹部１０Ａの最奥部まで挿入載置されたときには、玉箱３０の底部に押圧されてカウンター２の内部に陥没する構造となっており、玉箱位置検出センサ６２が陥没することにより玉箱３０が適正な位置に載置されていることを検出するようになっている。そして、玉箱３０が適正な位置に載置されていないことを検出した場合には、その旨の信号を出力して外部に報知するものである。この場合の報知手段としては、各パチンコ機に対応して設けられた呼出ランプ（図示しない）を点灯させたり、管理コンピュータの画面に表示するようにしたり、従業員が携帯する受信機に無線で送信したりすることが考えられる。
【００３５】
また、玉箱載置凹部１０Ａの底面両側には、縦方向に一対の玉箱位置補正装置６１が埋設されている。この玉箱位置補正装置６１は、小型のベルトコンベア装置であり、モータ（図示しない）により駆動されるローラ６３の間にベルト６４が差し渡されている。従って、玉箱位置補正装置６１を駆動すると、玉箱載置凹部１０Ａの底面に露出するベルト６４が回転移動され、玉箱載置凹部１０Ａ上の玉箱３０を運搬することができる。このように構成することにより、前記玉箱位置検出センサ６２により玉箱３０が適正な位置に載置されていないことが検出されたときに、玉箱位置補正装置６１を駆動することにより、玉箱３０の位置を適正に補正することができる。なお、この場合の玉箱位置補正装置６１としては、ベルトコンベア装置に限られず、電磁石を用いて玉箱３０を浮上させて適正な位置に移動させる構造等であってもよい。
【００３６】
次に、第３実施形態における玉箱３０の固定手段について説明すると、玉箱載置凹部１０Ａの両外側中央部には、載置される玉箱３０の横幅よりも僅かに広い間隔をおいて玉箱固定装置６０が埋設されている。この玉箱固定装置６０は、電気的駆動源としてのモータ（図示しない）の駆動力により、２本の円筒状の挿通片６０ａを玉箱載置位置１０に突出退避させるものである。このように構成することにより、図１２に示すように、玉箱載置凹部１０Ａに玉箱３０を挿入載置したときに、玉箱３０の下部側面に開設された２つの挿通穴３４に両側から挿通片６０ａをかんぬき状に挿通することにより、玉箱３０を玉箱載置凹部１０Ａに確実に固定することができる。なお、玉箱固定装置６０の挿通片６０ａの先端部には距離センサ６０ｂが取り付けられている。この距離センサ６０ｂは、玉箱載置凹部１０Ａの左右に設けられる玉箱固定装置６０の対向する挿通片６０ａ間の距離を検知するものであり、このように測定された実測値と予め算出された挿通片６０ａの突出時と退避時における設定値とを比較することにより、挿通片６０ａが突出退避いずれの状態にあるかを判別することができる。
【００３７】
第３実施形態に係るパチンコ島台１Ｂの構成及び作用については、上記した通りであるが、次に、第３実施形態における玉箱固定装置６０及び玉箱位置補正装置６１の駆動制御について、図１３を参照して、以下、説明する。図１３は、第３実施形態に係るパチンコ島台１Ｂにおける玉箱固定装置６０及び玉箱位置補正装置６１の駆動制御を示すフロー図である。
【００３８】
図において、ステップ３０で、電源の投入に伴い、玉箱固定装置６０、玉箱位置補正装置６１その他の各種装置の状態信号（「ステータス入力」と表示）が入力される。次に、ステップ３１で、各種装置の状態信号の異常の有無が判別される。ステップ３１で、異常ありと判別された場合には、ステップ３２で、各パチンコ機３ごとに設けられた呼出ランプ（図示しない）を点灯させることにより異常を報知する。呼出ランプにより異常を発見した遊技場の店員は、ステップ３３で、その異常を解消するための処置を行う。その後、ステップ３４で、異常が解消したか否かが判別された後、解消したと判別された場合には、ステップ３１に戻る。ステップ３１で、異常なしと判別された場合には、ステップ３５で、玉箱位置補正装置６１の異常処理回数がリセットされる。そして、ステップ３６で、玉箱位置検出センサ６２からの信号を入力させ、ステップ３７で、その信号の有無により、玉箱３０が玉箱載置凹部１０Ａの適正な位置に載置されているか否かが判別される。
【００３９】
ステップ３７で、玉箱３０が玉箱載置凹部１０Ａの適正な位置に載置されていないと判別された場合には、ステップ３８で、管理コンピュータから玉箱位置補正装置６１を駆動する信号が出力され、この信号に基づいて、ステップ３９で、玉箱位置補正装置６１が所定時間駆動され、玉箱位置補正処理を行う。そして、ステップ４０で、玉箱位置補正処理が規定回数（図示の場合には、４回）を越えて行われたか否かが判別され、越えていないと判別された場合には、ステップ４４で、玉箱位置補正処理の処理回数が加算される。その後、再び玉箱３０が玉箱載置凹部１０Ａの適正な位置に載置されているか否かが判別され、適正な位置に載置されていると判別されなければ、玉箱位置補正処理を規定回数まで行う。また、ステップ４０で、玉箱位置補正処理が規定回数を越えて行われたと判別された場合には、玉箱位置補正装置６１を駆動しても玉箱３０の位置が補正されない何らかの異常が発生していると考えられるので、ステップ４１で、呼出ランプを点灯させることにより異常を報知し、ステップ４２で、その異常を解消するための処置を行う。その後、ステップ４３で、異常が解消したか否かが判別された後、解消したと判別された場合には、ステップ３５に戻って、異常処理回数がリセットされ、以下、上記した動作を順次実行する。
【００４０】
また、ステップ３７で、玉箱３０が玉箱載置凹部１０Ａの適正な位置に載置されていると判別された場合には、ステップ４５で、玉箱固定装置６０（図１１参照）の異常処理回数がリセットされた後、ステップ４６で、管理コンピュータから玉箱固定装置６０（「ロック装置」と表示）の状態信号に対応した信号が出力され、その信号に基づいて、ステップ４７で、玉箱固定装置６０は信号に従って開放駆動又は固定駆動される。その後、ステップ４８で、玉箱固定装置６０の距離センサ６０ｂ（図１１参照）により、玉箱固定装置６０がステップ４６で出力された信号に対応する状態であるか否かが確認され、設定した状態であると判別されたときには、動作を終了する。なお、ステップ４８で、玉箱固定装置６０が所定の状態でないと判別された場合には、ステップ４９で、玉箱固定装置６０の駆動が規定回数（図示の場合には、４回）を越えて行われたか否かが判別され、越えていないと判別された場合には、ステップ５３で、玉箱固定装置６０の駆動回数が加算された後、ステップ４７で、再び玉箱固定装置６０を駆動する。また、ステップ４９で、玉箱固定装置の駆動が規定回数を越えて行われたと判別された場合には、玉箱固定装置６０を駆動しても玉箱３０が固定されない何らかの異常が発生していると考えられるので、ステップ５０で、呼出ランプを点灯させることにより異常を報知し、ステップ５１で、その異常を解消するための処置を行う。その後、ステップ５２で、異常が解消したか否かが判別された後、解消したと判別された場合には、ステップ４５に戻って、異常処理回数がリセットされ、以下、上記した動作を順次実行する。このように制御することにより、パチンコ島台１Ｂにおける玉箱固定装置６０及び玉箱位置補正装置６１の駆動制御を管理コンピュータによって自動的且つ集中的に行うことができる。
【００４１】
以上、実施形態に係るパチンコ島台１，１Ａ及び１Ｂの構成及び作用について説明してきたが、本実施形態によれば、パチンコ機３を設置すると共にそのパチンコ機設置位置の下部にはパチンコ機３から排出されたパチンコ玉を貯留する玉箱３０を載置する玉箱載置台としてのカウンター２が突設されるパチンコ島台１，１Ａ及び１Ｂにおいて、前記カウンター２上の玉箱載置位置１０には、前記玉箱３０を固定する玉箱固定装置４０と、パチンコ玉を前記パチンコ島台１，１Ａ及び１Ｂ内に返却する玉返却装置１９の流入口２０と、を設け、前記玉箱載置位置１０に前記玉箱３０を載置したときに、前記玉箱固定装置４０によって前記玉箱３０を固定したり開放したりし得ると共に、該玉箱３０に設けられた流出口３２からその貯留玉を前記流入口２０へ返却し得るようにしたので、あるパチンコ機３で得られたパチンコ玉を他のパチンコ機３で使用することを禁止しようとする場合には、玉箱載置位置１０に玉箱３０が載置された状態で、玉箱固定装置４０を駆動制御して玉箱３０を玉箱載置位置１０に固定することができると共に、遊技終了後にはそのままの状態で玉箱３０の貯留玉をパチンコ島台１，１Ａ及び１Ｂ内に返却することができる。また、上記した固定状態を解除しようとする場合には、玉箱固定装置４０を開放制御して玉箱載置位置１０に固定された玉箱３０を移動可能にすることができる。
【００４２】
また、図２に示すように、前記玉箱固定装置４０は、前記玉箱載置位置１０の両側に前記玉箱３０の横幅よりも僅かに広い間隔をおいて設けられ且つ電気的駆動源としてのソレノイド４０ａにより前記玉箱３０を固定するものであることにより、玉箱載置位置１０に載置された玉箱３０の両側からソレノイド４０ａにより駆動される挿通片４０ｂを玉箱３０の挿通穴３４に挿通して玉箱３０を固定することができる。
【００４３】
また、図２及び図３に示すように、前記玉箱載置位置１０は、前記玉箱３０の下部を収容載置するように前記カウンター２に玉箱載置用の凹部１０Ａを形成し、前記玉箱固定装置４０は、前記玉箱載置凹部１０Ａの外側のカウンター２の内部に埋設され且つ前記玉箱載置凹部１０Ａに収容載置された前記玉箱３０の下部側面に開設された挿通穴３４に電気的駆動源により駆動される挿通片４０ｂを挿通させることにより前記玉箱３０を固定するものであることにより、玉箱３０を玉箱載置凹部１０Ａへ円滑且つ確実に収容載置することができるとともに、収容載置された玉箱３０の挿通穴３４に挿通片４０ｂをかんぬき状に挿通して玉箱３０を玉箱載置凹部１０Ａに確実に固定することができる。
【００４４】
また、図９及び図１０に示すように、前記玉箱載置位置１０は、平板状の前記カウンター２の上面であり、前記玉箱固定装置５０は、前記カウンター２の上面に所定間隔離して固定され且つ載置された前記玉箱３０の側面を電気的駆動源により駆動される挟持片５０ａで挟持することにより前記玉箱３０を固定するものであることにより、玉箱載置位置１０に載置された玉箱３０の側面を玉箱固定装置５０により両側から挟持するだけで、より簡単に玉箱３０を玉箱載置位置１０に固定することができる。
【００４５】
また、前記玉箱載置位置１０には、前記玉箱３０が適正な位置に載置されているか否かを検出する玉箱位置検出センサ６２と、該玉箱位置検出センサ６２により前記玉箱３０が適正な位置に載置されていないことが検出されたときに適正な位置に載置されていないことを報知する報知装置を設けたことにより、玉箱３０が玉箱載置位置１０に適正に載置されていない場合には、呼出ランプ等の報知装置によりその旨を外部に報知することができる。
【００４６】
また、図１１に示すように、前記玉箱載置位置１０には、前記玉箱３０が適正な位置に載置されているか否かを検出する玉箱位置検出センサ６２と、該玉箱位置検出センサ６２により前記玉箱３０が適正な位置に載置されていないことが検出されたときに前記玉箱３０の位置を移動補正する玉箱位置補正装置６１と、を設けたことにより、玉箱３０が玉箱載置位置１０に適正に載置されていない場合には、玉箱位置補正装置６１により自動的に適正な位置に補正された後、玉箱固定装置６０を駆動制御して玉箱３０を玉箱載置位置１０に固定することができる。
【００４７】
また、図７及び図８に示すように、前記玉箱載置位置１０に前記玉箱３０を載置した状態で、遊技場内の前記パチンコ機３を複数又は個別に指定して、その指定したパチンコ機３に対応する前記玉箱３０の玉箱固定装置４０，５０，６０を駆動制御することにより、効率よく玉箱３０を固定したり開放したりすることができる。
【００４８】
なお、上記した各実施形態においては、玉箱固定装置４０，５０，６０として両方の側からソレノイド等の電気的駆動源で係合又は挟持するものを示したが、一方の側からだけ電気的駆動源で係合又は押圧するものであってもよい。
【００４９】
なお、上記した各実施形態においては、玉箱固定装置４０，５０，６０を玉箱載置位置１０の両外側に玉箱３０の横幅よりも僅かに広い間隔をおいて設け、外側から玉箱３０を固定するものを示したが、玉箱固定装置４０，５０，６０を玉箱載置位置１０の両内側に玉箱３０の横幅よりも僅かに狭い間隔をおいて設け、内側から玉箱３０を固定するものであってもよい。
【００５０】
なお、上記した各実施形態においては、玉箱固定装置４０，５０，６０としてソレノイド等の電気的駆動源により玉箱３０を固定するものを示したが、電磁石等により玉箱３０を吸着固定するものであってもよく、また、遊技客が操作できないような構造にすれば手動操作により玉箱３０を固定するものであってもよい。
【００５１】
なお、上記した各実施形態においては、多数のパチンコ機３を背向列設するパチンコ島台１におけるものを示したが、１台のパチンコ機３の稼働に必要なすべての構成装置が１台ごとに独立して設けられる形式のいわゆる単独型パチンコ装置におけるものであってもよい。
【００５２】
【発明の効果】
以上、説明したところから明らかなように、本発明においては、パチンコ機を設置すると共にそのパチンコ機設置位置の下部にはパチンコ機から排出されたパチンコ玉を貯留する玉箱を載置する玉箱載置台が突設されるパチンコ島台において、前記玉箱載置台上の玉箱載置位置には、前記玉箱を電気的駆動源により固定する玉箱固定装置と、パチンコ玉を前記パチンコ島台内に返却する玉返却装置の流入口と、を設け、前記玉箱載置位置に前記玉箱を載置したときに、前記玉箱固定装置によって前記玉箱を固定したり開放したりし得ると共に、該玉箱に設けられた流出口からその貯留玉を前記流入口へ返却し得るようにし、前記玉箱載置位置に前記玉箱を載置した状態で、遊技場内の前記パチンコ機を複数又は個別に指定して、その指定したパチンコ機に対応する前記玉箱の玉箱固定装置における前記電気的駆動源を駆動制御することにより、あるパチンコ機で得られたパチンコ玉を他のパチンコ機で使用することを禁止したり解除したりすることができる。また、遊技場内の指定したパチンコ機に対応する前記玉箱の玉箱固定装置における電気的駆動源としてのソレノイドを駆動制御することで、効率よく玉箱を固定したり開放したりすることができる。
【００５３】
【００５４】
また、前記玉箱載置位置は、前記玉箱の下部を収容載置するように前記玉箱載置台に玉箱載置用の凹部を形成し、前記玉箱固定装置は、前記玉箱載置凹部の外側の前記玉箱載置台の内部に埋設され且つ前記玉箱載置凹部に収容載置された前記玉箱の下部側面に開設された挿通穴に電気的駆動源により駆動される挿通片を挿通させることにより前記玉箱を固定するものであることにより、玉箱を玉箱載置凹部へ円滑且つ確実に収容載置することができるとともに、玉箱を玉箱載置凹部に確実に固定することができる。
【００５５】
また、前記玉箱載置位置は、平板状の前記玉箱載置台の上面であり、前記玉箱固定装置は、前記玉箱載置台の上面に所定間隔離して固定され且つ載置された前記玉箱の側面を電気的駆動源により駆動される挟持片で挟持することにより前記玉箱を固定するものであることにより、より簡単に玉箱を玉箱載置位置に固定することができる。
【００５６】
また、前記玉箱載置位置には、前記玉箱が適正な位置に載置されているか否かを検出する玉箱位置検出センサと、該玉箱位置検出センサにより前記玉箱が適正な位置に載置されていないことが検出されたときに適正な位置に載置されていないことを報知する報知装置を設けたことにより、玉箱が玉箱載置位置に適正に載置されていない場合には、呼出ランプ等の報知装置によりその旨を外部に報知することができる。
【００５７】
また、前記玉箱載置位置には、前記玉箱が適正な位置に載置されているか否かを検出する玉箱位置検出センサと、該玉箱位置検出センサにより前記玉箱が適正な位置に載置されていないことが検出されたときに前記玉箱の位置を移動補正する玉箱位置補正装置と、を設けたことにより、玉箱が玉箱載置位置に適正に載置されていない場合には、玉箱の位置を自動的に補正した後、玉箱載置位置に固定することができる。
【００５８】
【図面の簡単な説明】
【図１】  パチンコ島台を示す斜視図である。
【図２】  カウンターから玉箱を外した状態の斜視図である。
【図３】  カウンターに玉箱を装着した状態の斜視図である。
【図４】  玉箱固定装置の作用を示す拡大斜視図である。
【図５】  玉箱の貯留玉を玉返却装置に返却するための構成及び作用を示す断面図である。
【図６】  同じく、玉箱の貯留玉を玉返却装置に返却するための構成及び作用を示す断面図である。
【図７】  玉箱固定装置の駆動制御を示すフロー図である。
【図８】  各パチンコ機に対応する玉箱固定装置を複数又は個別に指定するための制御を示すフロー図である。
【図９】  第２実施形態に係るパチンコ島台のカウンターから玉箱を外した状態の斜視図である。
【図１０】  第２実施形態に係るパチンコ島台のカウンターに玉箱を装着した状態の斜視図である。
【図１１】  第３実施形態に係るパチンコ島台のカウンターから玉箱を外した状態の斜視図である。
【図１２】  第３実施形態に係るパチンコ島台のカウンターに玉箱を装着した状態の斜視図である。
【図１３】  第３実施形態に係るパチンコ島台における玉箱固定装置及び玉箱位置補正装置の駆動制御を示すフロー図である。
【符号の説明】
１，１Ａ，１Ｂ  パチンコ島台
２  カウンター
３  パチンコ機
８  台間玉貸機
１０  玉箱載置位置
１０Ａ  玉箱載置凹部
１３  下皿
１９  玉返却装置
２０  流入口
２５  整流片
２６  玉検知センサ
３０  玉箱
３２  流出口
３３  スライド板
３４  挿通穴
４０  玉箱固定装置
４０ｂ  挿通片
５０  玉箱固定装置
５０ａ  挟持片
６０  玉箱固定装置
６０ａ  挿通片
６１  玉箱位置補正装置
６２  玉箱位置検出センサ
６３  ローラ
６４  ベルト
【図１】
0004182547.tif 000002
【図２】
0004182547.tif 000003
【図３】
0004182547.tif 000004
【図４】
0004182547.tif 000005
【図５】
0004182547.tif 000006
【図６】
0004182547.tif 000007
【図７】
0004182547.tif 000008
【図８】
0004182547.tif 000009
【図９】
0004182547.tif 000010
【図１０】
0004182547.tif 000011
【図１１】
0004182547.tif 000012
【図１２】
0004182547.tif 000013
【図１３】
0004182547.tif 000014